(57)【要約】【課題】車両レイアウトの制約上、電線群を配索するためのスペースが限られている場合においても、電線群を車体パネルの貫通孔に容易に固定することができるグロメット及びワイヤハーネスを提供する。【解決手段】小径筒部１２と、車体パネルＰに設けられた貫通孔Ｈの孔縁に対し、全周密着し嵌着される嵌着部２３を外周面に有する大径筒部１３と、フレア形状に形成され、内面と外面とを逆転可能な変形性を有し、小径端１５が小径筒部１２に連結され、かつ大径端１４が大径筒部１３に連結されたフレア形状部１１と、を備え、突出状態におけるフレア形状部１１の外周面に係合凸部１８が設けられるとともに、小径筒部１２の外周面に係合凹部２０が設けられ、収納状態において、係合凸部１８と係合凹部２０とが係合することにより、小径筒部１２及びフレア形状部１１が収納空間１７内に固定される。【選択図】図２
2018074687.tif 000002
【特許請求の範囲】
【請求項１】
小径筒部と、
車体パネルに設けられた貫通孔の孔縁に対し、全周密着し嵌着される嵌着部を外周面に有する大径筒部と、
フレア形状に形成され、内面と外面とを逆転可能な変形性を有し、小径端が前記小径筒部に連結され、かつ大径端が前記大径筒部に連結されたフレア形状部と、を備え、前記貫通孔に挿通される電線群を前記小径筒部、前記大径筒部、及び前記フレア形状部に挿通させるグロメットであって、
前記フレア形状部は、前記大径筒部から突出した突出状態と、前記外面が反転されて前記内面内に入り込み、前記大径筒部に設けられる収納空間に収納された収納状態とになるように設けられ、
前記突出状態における前記フレア形状部の外周面に係合凸部が設けられるとともに、前記小径筒部の外周面に係合凹部が設けられ、
前記収納状態において、前記係合凸部と前記係合凹部とが係合することにより、前記小径筒部及び前記フレア形状部が前記収納空間内に固定されることを特徴とするグロメット。
【請求項２】
前記小径筒部において、その先端開口から軸線方向の所定長さにわたってスリットが形成されたことを特徴とする請求項１に記載のグロメット。
【請求項３】
電線群と、前記請求項１又は２に記載のグロメットとを備え、前記グロメットが前記収納状態に前記電線群に取り付けられ、かつ前記小径筒部の先端部分がテープ巻きにより前記電線群の所要位置に固定されていることを特徴とするワイヤハーネス。
【請求項４】
前記電線群は、幹線と、前記幹線から分岐する分岐線とを有し、
前記グロメットは、前記幹線と前記分岐線とが前記貫通孔に車室内側から通されるときに、前記小径筒部の先端部分が前記幹線と前記分岐線との分岐部の近傍に位置するように固定され、前記嵌着部が前記小径筒部の先端部分よりも前記分岐部から離れる側に位置することを特徴とする請求項３に記載のワイヤハーネス。
【発明の詳細な説明】
【技術分野】
【０００１】
本発明は、グロメット及びワイヤハーネスに関する。
【背景技術】
【０００２】
従来、自動車のエンジンルームから車室内へ配索される電線群には、ゴム又はエラストマーからなるグロメットが装着されている。このようなグロメットをエンジンルームと車室とを仕切る車体パネルの貫通孔に取り付けることにより、貫通孔を貫通する電線群の保護及びエンジンルーム側から車室への防水、防塵、遮音が図られている（例えば、特許文献１参照）。
【０００３】
例えば図４に示すように、この種のグロメット４０は、筒状の部材からなっており、車体パネルの貫通孔に嵌着させるための嵌着部４１を外周面に設けている。また、グロメット４０には軸線方向に延伸する舌部４２が形成されている。
【０００４】
電線群は、グロメット４０に貫通された後に、舌部４２と共にテープＴによりテープ巻きされることにより、グロメット４０に固着される。
【先行技術文献】
【特許文献】
【０００５】
【特許文献１】特開２０１５−３３２５６号公報
【発明の概要】
【発明が解決しようとする課題】
【０００６】
しかしながら、上述のグロメット４０を電線群の幹線３０と分岐線３１との分岐部３２付近に固定する場合には、グロメット４０を電線群に固定するための舌部４２が分岐部３２と干渉して、電線群が損傷する虞がある。
【０００７】
これを解決する方法として、例えば、グロメットの電線群への取り付け位置と分岐部３２とを相対的に遠ざけることが考えられる。しかしながら、車両レイアウトの制約上、電線群を配索するためのスペースが限られている場合には、上記の方法では車体パネルの貫通孔にグロメットを取り付けられなくなるという問題が発生してしまう。
【０００８】
本発明は、上述のような課題を解決するためになされたもので、車両レイアウトの制約上、電線群を配索するためのスペースが限られている場合においても、電線群を車体パネルの貫通孔に容易に固定することができるグロメット及びワイヤハーネスを提供することを目的とする。
【課題を解決するための手段】
【０００９】
本発明に係るグロメットは、上記目的達成のため、小径筒部と、車体パネルに設けられた貫通孔の孔縁に対し、全周密着し嵌着される嵌着部を外周面に有する大径筒部と、フレア形状に形成され、内面と外面とを逆転可能な変形性を有し、小径端が前記小径筒部に連結され、かつ大径端が前記大径筒部に連結されたフレア形状部と、を備え、前記貫通孔に挿通される電線群を前記小径筒部、前記大径筒部、及び前記フレア形状部に挿通させるグロメットであって、前記フレア形状部は、前記大径筒部から突出した突出状態と、前記外面が反転されて前記内面内に入り込み、前記大径筒部に設けられる収納空間に収納された収納状態とになるように設けられ、前記突出状態における前記フレア形状部の外周面に係合凸部が設けられるとともに、前記小径筒部の外周面に係合凹部が設けられ、前記収納状態において、前記係合凸部と前記係合凹部とが係合することにより、前記小径筒部及び前記フレア形状部が前記収納空間内に固定される構成である。
【００１０】
この構成により、本発明に係るグロメットは、電線群の固定部としての小径筒部を大径筒部に設けられる収納空間内部に格納する機構を設けたことで、車両レイアウトの制約上、電線群を配索するためのスペースが限られている場合においても、電線群を車体パネルの貫通孔に容易に固定することができる。
【００１１】
また、本発明に係るグロメットは、収納状態において、係合凸部と係合凹部とが係合することにより、小径筒部と大径筒部との軸線方向の位置ずれを抑制することができる。
【００１２】
また、上記構成のグロメットは、前記小径筒部において、その先端開口から軸線方向の所定長さにわたってスリットが形成された構成であってもよい。
【００１３】
この構成により、本発明に係るグロメットは、その小径筒部と電線群とを共にテープ巻きする際に、小径筒部の先端部分が窄まって、電線群が小径筒部から抜け出ることを防止できる。
【００１４】
また、本発明に係るワイヤハーネスは、上記目的達成のため、電線群と、上記のグロメットとを備え、前記グロメットが前記収納状態に前記電線群に取り付けられ、かつ前記小径筒部の先端部分がテープ巻きにより前記電線群の所要位置に固定されている構成である。
【００１５】
この構成により、本発明に係るワイヤハーネスは、電線群の固定部としての小径筒部を大径筒部に設けられる収納空間内部に格納する機構を設けたグロメットを備えることで、車両レイアウトの制約上、電線群を配索するためのスペースが限られている場合においても、電線群を車体パネルの貫通孔に容易に固定することができる。
【００１６】
また、上記構成のワイヤハーネスにおいては、前記電線群は、幹線と、前記幹線から分岐する分岐線とを有し、前記グロメットは、前記幹線と前記分岐線とが前記貫通孔に車室内側から通されるときに、前記小径筒部の先端部分が前記幹線と前記分岐線との分岐部の近傍に位置するように固定され、前記嵌着部が前記小径筒部の先端部分よりも前記分岐部から離れる側に位置する構成であってもよい。
【００１７】
この構成により、本発明に係るワイヤハーネスは、電線群の分岐部において、分岐線と干渉することなくグロメットを電線群に固定することができる。また、本発明に係るワイヤハーネスは、グロメットを電線群の分岐部付近に固定する際に、テープ巻きを行うためのスペースを容易に確保できる。
【発明の効果】
【００１８】
本発明によれば、車両レイアウトの制約上、電線群を配索するためのスペースが限られている場合においても、電線群を車体パネルの貫通孔に容易に固定することができるグロメット及びワイヤハーネスを提供することができる。
【図面の簡単な説明】
【００１９】
【図１】（ａ）は本発明の一実施の形態に係るグロメットの突出状態を示す正面図であり、（ｂ）は本発明の一実施の形態に係るグロメットの収納状態を示す正面図である。
【図２】本発明の一実施の形態に係る突出状態のグロメットが電線群に取り付けられた状態を示す断面図である。
【図３】本発明の一実施の形態に係る収納状態のグロメットを備えるワイヤハーネスが車体パネルに取り付けられた状態を示す断面図である。
【図４】従来のグロメットを車体パネルに取り付ける際に生じる問題点を説明するための正面図である。
【発明を実施するための形態】
【００２０】
次に、本発明に係る一実施の形態について図面を参照して説明する。
【００２１】
図１（ａ）及び図２に示すように、本実施の形態に係るグロメットＧは、フレア形状部１１と、小径筒部１２と、大径筒部１３と、を備えている。これらフレア形状部１１、小径筒部１２、及び大径筒部１３は、例えばゴム又はエラストマーにより一体成形されている。グロメットＧにおいて、フレア形状部１１、小径筒部１２、及び大径筒部１３の内部には電線群が挿通されるようになっている。
【００２２】
図２及び図３に示すように、フレア形状部１１は、フレア形状に形成され、内面と外面とを逆転可能な変形性を有している。フレア形状部１１の大径端１４は大径筒部１３に連結され、かつ小径端１５は小径筒部１２に連結されている。
【００２３】
フレア形状部１１は、大径端１４から小径端１５にかけて順に径が小さい複数のリング１６が連なって一体に設けられる。フレア形状部１１においては、各リング１６は、小さい径のリング１６を隣接する大きい径のリング１６に収納可能であり、かつ、隣接する大きい径のリング１６に収納された状態の小さい径のリング１６を当該大きい径のリング１６から引き延ばすことが可能に構成されている。図１（ａ）及び図２は、フレア形状部１１が引き延ばされた状態のグロメットＧの構造を示している。
【００２４】
フレア形状部１１は、ゴム又はエラストマーの成形体からなる構造上、内面と外面とを逆転可能な変形性を有している。図３は、グロメットＧのフレア形状部１１において、外面が反転されて内面内に入り込んだときの構造を示している。
【００２５】
フレア形状部１１は、図２に示す状態から小径端１５が大径端１４側に押圧されると、小さい径のリング１６が隣接する大きい径のリング１６に順次収容されながら全長が縮まっていく。さらに、小径端１５が上記のように押圧されると、それまで内面だったものが外面に反転され、小さい径のリング１６が隣接する大きい径のリング１６からそれぞれ引き延ばされるように裏返された状態（図３参照）となる。
【００２６】
このように、本実施の形態のグロメットＧにおいて、フレア形状部１１は、大径筒部１３から突出した突出状態（図２参照）と、外面が反転されて内面内に入り込み、大径筒部１３に設けられる収納空間１７に収納された収納状態（図１（ｂ）及び図３参照）とになるように設けられる。収納状態において小径筒部１２は、大径筒部１３の収納空間１７に収納されたフレア形状部１１の内部に収納されるようになっている。
【００２７】
図２に示すように、突出状態におけるフレア形状部１１の外周面には、係合凸部１８が設けられている。突出状態において、フレア形状部１１の折り返し開始位置１９から係合凸部１８までの距離ｄ１は、フレア形状部１１の折り返し開始位置１９から後述する係合凹部２０までの距離ｄ２に等しくなっている。
【００２８】
図３に示すように、収納状態においては、係合凸部１８と係合凹部２０とが係合することにより、フレア形状部１１及び小径筒部１２が収納空間１７内に固定されるようになっている。
【００２９】
図２及び図３に示すように、本実施の形態に係るワイヤハーネスＷは、それぞれが剛性を有する複数本の被覆電線からなる電線群を含み、フレア形状部１１が収納状態となっているグロメットＧが電線群に取り付けられ、かつ小径筒部１２の先端部分がテープ巻きにより電線群の所要位置に固定された構成となっている。
【００３０】
例えば、電線群は、幹線３０と、幹線３０から分岐する分岐線３１とを有していてもよい。ワイヤハーネスＷにおいて、グロメットＧは、幹線３０と分岐線３１とが車体パネルＰに設けられた貫通孔Ｈに車室内側から通されるときに、小径筒部１２の先端部分が幹線３０と分岐線３１との分岐部３２の近傍に位置するように固定され、後述する大径筒部１３の嵌着部２３が小径筒部１２の先端部分よりも分岐部３２から離れる側に位置する。ここで、幹線３０と分岐線３１との分岐部３２は、車体パネルＰに設けられた貫通孔Ｈを、車体パネルＰの一側から他側に通されることが可能なサイズに構成されている。
【００３１】
図２に示すように、小径筒部１２は、その内周面が電線群の幹線３０の外周面に密着するように形成されている。また、小径筒部１２の外周面には、係合凹部２０が設けられている。係合凹部２０は、フレア形状部１１の係合凸部１８に係合可能な形状を有する。
【００３２】
また、図１（ａ）及び図２に示すように、小径筒部１２において、その先端開口２１から軸線方向の所定長さにわたってスリット２２が形成されている。小径筒部１２の先端部分と幹線３０とがテープＴにより共にテープ巻きされると、スリット２２は幅方向に閉じるように変形して小径筒部１２の先端部分が窄まる。これにより、幹線３０が小径筒部１２から抜け出ることを防止できる。
【００３３】
大径筒部１３は、車体パネルＰに設けられた貫通孔Ｈの孔縁に対し、全周密着し嵌着される凹形状の嵌着部２３を外周面の周方向に有する。図３に示すように、大径筒部１３は、車体パネルＰの一側から他側に押し込まれることにより、嵌着部２３が車体パネルＰの貫通孔Ｈの孔縁に嵌まり込むようになっている。なお、大径筒部１３の内周面と幹線３０の外周面とは互いに密着せず、十分な間隔が置かれる。
【００３４】
次に、上記構成を有するグロメットＧ及びワイヤハーネスＷの取り付け手順について、図１から図３を参照して説明する。
【００３５】
まず、フレア形状部１１が収納状態となっているグロメットＧ（図１（ｂ）参照）に幹線３０を挿通する。このとき、グロメットＧは、小径筒部１２の先端側が幹線３０の分岐部３２と反対側の端部から分岐部３２に向かうように、幹線３０の外周面上を移動される。なお、小径筒部１２の先端位置は、後述のテープ巻きの作業が可能な範囲でなるべく分岐部３２に近づけることが望ましい。
【００３６】
次に、図２に示すように、大径筒部１３を分岐部３２から遠ざかる方向に引っ張って、小径筒部１２を露出させる。この状態で、小径筒部１２の先端部分と幹線３０とをテープＴにより共にテープ巻きする。
【００３７】
次に、図３に示すように、大径筒部１３を小径筒部１２側に押し込んでいき、フレア形状部１１の係合凸部１８と、小径筒部１２の係合凹部２０とを係合させ、フレア形状部１１及び小径筒部１２を大径筒部１３の収納空間１７内に固定する。これにより、本実施の形態のワイヤハーネスＷが完成する。
【００３８】
次に、車体パネルＰに設けられた貫通孔Ｈに、分岐部３２を車体パネルＰの一側から他側に通して、電線群を貫通孔Ｈに挿通する。さらに、貫通孔Ｈの孔縁に大径筒部１３の外周面に形成された嵌着部２３を嵌着する。これにより、ワイヤハーネスＷが車体パネルＰに固定される。
【００３９】
以上のように、本実施の形態に係るグロメットＧは、電線群の固定部としての小径筒部１２を大径筒部１３に設けられる収納空間１７内部に格納する機構を設けたことで、車両レイアウトの制約上、電線群を配索するためのスペースが限られている場合においても、電線群を車体パネルＰの貫通孔Ｈに容易に固定することができる。
【００４０】
また、本実施の形態に係るグロメットＧは、収納状態において、係合凸部１８と係合凹部２０とが係合することにより、小径筒部１２と大径筒部１３との軸線方向の位置ずれを抑制することができる。
【００４１】
また、本実施の形態に係るグロメットＧは、小径筒部１２の先端部分にスリット２２が形成されているため、小径筒部１２と電線群とを共にテープ巻きする際に、小径筒部１２の先端部分が窄まって、電線群が小径筒部１２から抜け出ることを防止できる。
【００４２】
また、本実施の形態に係るワイヤハーネスＷは、上記のグロメットＧを備えることで、車両レイアウトの制約上、電線群を配索するためのスペースが限られている場合においても、電線群を車体パネルＰの貫通孔Ｈに容易に固定することができる。
【００４３】
また、本実施の形態に係るワイヤハーネスＷは、電線群の分岐部３２において、分岐線３１と干渉することなくグロメットＧを電線群に固定することができる。
【００４４】
また、本実施の形態に係るワイヤハーネスＷは、グロメットＧを電線群の分岐部３２付近に固定する際に、テープ巻きを行うためのスペースを容易に確保できる。
【００４５】
以上説明したように、本発明に係るグロメット及びワイヤハーネスは、車両レイアウトの制約上、電線群を配索するためのスペースが限られている場合においても、電線群を車体パネルの貫通孔に容易に固定することができるという効果を有し、グロメット及びワイヤハーネス全般に有用である。
【符号の説明】
【００４６】
１１  フレア形状部
１２  小径筒部
１３  大径筒部
１４  大径端
１５  小径端
１７  収納空間
１８  係合凸部
２０  係合凹部
２１  先端開口
２２  スリット
２３  嵌着部
３０  幹線
３１  分岐線
３２  分岐部
Ｇ  グロメット
Ｗ  ワイヤハーネス
Ｐ  車体パネル
Ｈ  貫通孔
【図１】
2018074687.tif 000003
【図２】
2018074687.tif 000004
【図３】
2018074687.tif 000005
【図４】
2018074687.tif 000006